(57)【要約】【課題】本発明は人工肛門や人工膀胱を付けた患者が座って使用することが可能となると共に、座ったままであっても排便後の肛門を介護者や介添人が簡単に拭くことができ、座薬の投与作業が衛生的に行え、且つ、自己導尿の人は便鉢の内部に直接排泄することができるものとなり、更に一般健常者が使用しても従来と殆ど変わらずに使用できるオストメイト対応型洋式便器を提供することを目的とする。【解決手段】便器本体１の上面から水面までの深さＨを、２００〜２５０ｍｍとしたものとする。また便器本体１の便鉢11の前側内面が、上端から急勾配で深く排出口12まで達し、且つ、該排出口12の位置を便器本体１の略中央近くに設けるのが好ましく、且つ、便器本体１の便鉢11の前後長さＬを、４０５〜５００ｍｍの範囲にするのが良い。【選択図】図１
2014139368.tif 000002
【特許請求の範囲】
【請求項１】
便器本体（１）の上面から水面までの深さ（Ｈ）を、２００〜２５０ｍｍとしたことを特徴とするオストメイト対応型洋式便器。
【請求項２】
前記便器本体（１）の便鉢（11）の前側内面が、上端から急勾配で深く排出口（12）まで達し、且つ、該排出口（12）の位置を前記便器本体（１）の略中央近くに設けた請求項1記載のオストメイト対応型洋式便器。
【請求項３】
前記便器本体（１）の便鉢（11）の前後長さ（Ｌ）が、４０５〜５００ｍｍである請求項１記載のオストメイト対応型洋式便器。
【発明の詳細な説明】
【技術分野】
【０００１】
本発明は、自力で排便や排尿が行えず、人工肛門や人工膀胱を付けた大腸がんや膀胱がんの患者が使用すると便利なオストメイト対応型洋式便器に関する。
【背景技術】
【０００２】
一般に人工肛門や人工膀胱を付けた大腸がんや膀胱がんの患者が洋式便器を使用する場合、腹部のストーマバック（パウチとも言う）に溜めた中身を便座の穴に向けて捨てる際、患者は便器の前側に立ち、中腰になってストーマバックを開け、中身が空になった後、腹部のストーマ周囲が、皮膚炎症による痒みや痛みを生じないようにその周囲をきれいに消毒している。しかしながら、従来の洋式便器の便座の穴形状は前側が小さな曲率半径で狭く、後側が大きな曲率半径で広くなる玉子形状のものが殆どであるため、患者が便器の前側に立ち、中腰になってストーマバックの中身を便座の穴に向けて捨てると、便座の表面に便や尿が付着し易く、不潔であると共にその都度きれいに拭取らなければならず、人工肛門や人工膀胱を付けた患者が用を済ますのに、時間が掛っているのが現状である。しかも中腰姿勢での排便・排尿処理作業は、体力の弱っている患者や体力のない年配者にとっては大変なものであった。
【０００３】
このため、患者は立たずに座ったままストーマバックの処理が行えるようにした便器や便座を、本発明者が特開２０１２−０５２２８６，実用新案登録第３１７６４４０号，実用新案登録第３１６６５５３号などで提案したところである。これらの提案は、便器或いは便座の穴の前側を広くし、且つ、前記穴の長さを長くしたものであった。
【０００４】
しかしながら、本発明者が提案したものは、便器の穴内周面（以降、便鉢と言う）の形状が従来のものと殆ど変わらないものであったので、図３に示すように前側（図中に於いては右側）傾斜面に段が付いたもの、或いは図４に示すように少し深めで段が付いたものが殆どであった。この時の便器の上面から水面までの深さ（Ｈ')は、一般に１５０〜１７５ｍｍ前後であった。
【０００５】
このため、排便を行う際、座った状態で便器の前側から肛門に向けて、介護者や介添人が手を便器内に入れると、便鉢の水に手が触れてしまい、不衛生であるため、その作業は困難なものであった。尚、座った状態で便器の後側から手を便器内に入れて肛門を拭こうとすると、便器の後側には洗浄装置やタンク或いは壁等があり、便器の後側から手を入れて作業することは難しいものであった。また本発明に於いて摘便とは、排便時に自分の腹圧等で排便できない人が自身の手で肛門から便を取出すことを指し、又、介護者が排便する人の肛門を摩ったりしながら排便を助けて行う作業のことを指す。
【０００６】
次に座薬を投与する場合、介護施設やリハビリテーションまたは病院等に於いては、患者や看護される人の肛門に、座薬を載せる器具類が用いられて行うのが一般的である。この器具類を用いて、患者や看護される人が座ったままの姿勢で、その肛門に座薬を投与すと、前記器具類が便鉢の水に触れ、且つ、狭いので作業が行いにくいため、座ったままの姿勢では座薬を投与する作業は行われていないのが現状である。又、採尿時に座ったままの姿勢で行うと、便鉢の内面に採尿コップが接触し、零れ易く、且つ、衣服を汚し易かった。
【０００７】
又、従来の便器を使用して、身体不自由者が介護される場合、介護者が手を便器の前側から入れて尻を拭こうとすると、便鉢の水に触れ、不衛生であると共に狭いので作業が行いにくいため、身体不自由者は手摺等につかまり中腰の状態を維持させている間に、介護者が尻を拭いているのが現状である。この時、特に高齢者であると、尻を拭き終わるまで中腰の状態を維持することができず、作業の途中で便器に座り込んでしまうこともあり、危険であった。
【０００８】
またオストメイトが腹部のストーマバックに溜めた中身を便座の穴に向けて捨てる際、患者は便器に座ったままストーマバックを開け、中身を空にして排泄すると、便鉢の前側に汚物が洗浄廃水後残存する場合が多く生じ易かった。この時、便鉢の前側には小便が排尿されるだけで、排便することは考慮されていないため、小便の流れがスムーズになるように、勾配を図３又は図４のように２段にし、この勾配は比較的緩やかなものであった。尚、本発明で言う「オストメイト」とは、大腸癌等の内部疾患を患った人が、肛門から排便ではなく、手術により腹部に便や小便の排泄口を設けた人たちを指すものとする。
【０００９】
更に導尿管を使用する人が、便器に座ったまま導尿管を尿道に入れると、手が便器に触れたりして不便であった。一般に自己導尿を行う人の大半は、身体に障害を持っているため、便鉢の前側が浅い従来の便器では腰を浮かして直接便器内部に排泄することができない。従って、導尿管を使用する人は、導尿管から用意している袋や尿瓶に小便を一旦入れ、袋や尿瓶に溜った小便を便器に捨てているのが現状である。尚、本発明で言う「自己導尿」とは、自分の力で排尿できず、導尿管を尿道に自分で挿入して排尿することを指すものとする。
【先行技術文献】
【特許文献】
【００１０】
【特許文献１】特開２０１２−０５２２８６号公報
【特許文献２】実用新案登録第３１７６４４０号公報
【特許文献３】実用新案登録第３１６６５５３号公報
【発明の概要】
【発明が解決しようとする課題】
【００１１】
本発明は人工肛門や人工膀胱を付けた患者が座って使用することが可能となると共に、座ったままであっても排便後の肛門を介護者や介添人が簡単に拭くことができ、座薬の投与作業が衛生的に行え、且つ、自己導尿の人は便鉢の内部に直接排泄することができるものとなり、更に一般健常者が使用しても従来と殆ど変わらずに使用できるオストメイト対応型洋式便器を提供することを目的とする。
【課題を解決するための手段】
【００１２】
本発明は上記現状に鑑み成されたものであり、つまり、便器本体の上面から水面までの深さを、２００〜２５０ｍｍとしたものとする。また便器本体の便鉢の前側内面が、上端から急勾配で深く排出口まで達し、且つ、該排出口の位置を便器本体の略中央近くに設けるのが好ましい。又、便器本体の便鉢の前後長さを、４０５〜５００ｍｍの範囲にするのが良い。尚、本発明で言う「急勾配」とは、図２や図３に示す従来品よりも深くなるように勾配を付けたことを指すものとする。
【発明の効果】
【００１３】
請求項１のように便器本体（１）の上面から水面までの深さ（Ｈ）を、２００〜２５０ｍｍとすることにより、便鉢（11）が深くなると共に前側に手の入る余裕が出来るため、人工肛門や人工膀胱を付けた患者が使用する際には、排便や排尿処理作業が前側で容易に行える便利なものとなり、且つ、患者や看護される人が座ったままの姿勢であっても、排便を行う際には、便器本体（１）の前側から肛門に向けて、介護者や介添人が手をその内部に入れても、便鉢（11）の水に触れることなく作業が行え、衛生的なものとなる。又、摘便の介添人が手を入れて作業しても、水に手が触れず衛生的であり、安心して介添え出来るものとなる。更に座薬を投与する場合も、座ったままの姿勢であっても、介護者や介添人の手が水に触れることなく衛生的であり、安心して投与作業が行えるものとなる。また採尿時に座ったままの姿勢で行っても、便器の内部に採尿コップ等が接触することなく、安心して採尿作業が行えるものとなる。
一方、介護の面に於いては、本発明品に座ったままの姿勢であっても、介護者や介添人の手が水に触れることなく衛生的に介護することができ、また高齢者等や体力のない人にも座ったままの状態で、介護者や介添人に拭いてもらうことが出来るため、危険性もなく安全で安心である。更に導尿管を使用する人が、便器に座ったまま導尿管を尿道に入れ、便器本体（１）の便鉢（11）の内部に直接排泄することができるものとなるため、自己導尿の人には非常に排尿効果の優れた作業工程の少ない安心な便器となる。
【００１４】
請求項２のように便器本体（１）の便鉢（11）の前側内面が、上端から急勾配で深く排出口（12）まで達し、且つ、該排出口（12）の位置を便器本体（１）の略中央近くに設けることにより、オストメイトが腹部のストーマバック（パウチ）に溜めた中身を便器本体（１）の便鉢（11）に向けて捨てても、汚物の流れがとどまることなくスムーズに流れるため、洗浄効果を増大させるものとなる。
【００１５】
請求項３に示すように便器本体（１）の便鉢（11）の前後長さ（Ｌ）を４０５〜５００ｍｍの範囲とすることにより、オストメイト及び介護用に充分対応出来るものとなる。
【図面の簡単な説明】
【００１６】
【図１】本発明の実施形態を示す断面図である。
【図２】本発明の実施形態を示す平面図である。
【図３】従来の実施形態を示す断面図である。
【図４】従来の他の実施形態を示す断面図である。
【発明を実施するための形態】
【００１７】
図１は本発明の実施形態を示す図であり、これに基づき説明する。（１）はオストメイト対応型洋式便器の便器本体であり、該便器本体（１）の上面から水面までの深さ（Ｈ）が、２００〜２５０ｍｍの範囲とするのが良いが、好ましくは２２０〜２３０ｍｍの範囲とするのが良い。前記便器本体（１）の便鉢（11）の前後長さ（Ｌ）としては、４０５〜５００ｍｍの範囲とするのが良い。また便器本体（１）の便鉢（11）は、その前側内面が上端から急勾配で深く排出口（12）まで達しており、且つ、該排出口（12）の位置を図２に示すように便器本体（１）の略中央近く（従来品よりも１００ｍｍ前後前側）に設けている。尚、本発明品の便鉢（11）は従来品の普通サイズのものに比べ、図３、図４の２点鎖線で示すように深くなると共に便鉢（11）の前後長さ（Ｌ）が長くなる。又、前記便器本体（１）としては、本発明者が提案した特願２０１０−１９３０８４の便器本体を用い、且つ、便鉢の深さを深くすると共に排出口（12）を便器本体（１）の略中央近くに設けたものを用いるのが好ましい。
【００１８】
次に本発明品の使い方について説明する。先ず始めに人工肛門や人工膀胱を付けた患者が本発明の便器を使用する場合について説明する。予め図示しない便蓋を持上げ、図示しない便座を介して便器本体（１）の上に腰掛けると、この時、奥側へ座ると、目の前には広い空間ができるので、患者は腹部に取付けたストーマバックを外し、その中身を便鉢（11）に捨てれば、腰掛けた状態で排便や排尿の処理が行えると共にストーマバックの中身を空にした後、腰掛けて安定した状態で患者が、ストーマバックの周囲をきれいに消毒することができ、且つ、医療用の消耗品等の交換も座った状態で行えるものとなる。その後、身なりを整えて便器から離れ、水を流せば良い。この時、排便や排尿が周囲に付着することなく清潔に、且つ、安心して行える。しかも便鉢（１）の前側には従来の如き汚物が洗浄廃水後残存する恐れがなく、排出口（12）から汚物が確実に流れ出るものとなるのである。
【００１９】
また身体不自由者が介護される場合には、上記同様に便座を介して便器本体（１）の上に腰掛けると、目の前には広い空間ができると共に便鉢（11）が深くて便器本体（１）の上面から水面までの深さが、２００ｍｍ以上あるので、介護者が手を便鉢（11）の前側から入れて身体不自由者の尻を拭いても、従来の如き水に手が触れる恐れはなくなるため、衛生的に作業が行えるものとなった。又、介護者が摘便作業を行う場合にも上記同様に衛生的で且つ安全に作業が行えるものとなった。更に座薬を投与する場合には、器具類を用いて患者や看護される人が座ったままの姿勢で、その肛門に座薬を投じる際、前記器具類が便鉢（11）の水に触れることなく衛生的に作業することが可能なものとなる。
【００２０】
本発明の他の使い方としては、上記同様に便座を介して便器本体（１）の上に腰掛けると、目の前には広い空間ができると共に便鉢（11）が深くて便器本体（１）の上面から水面までの深さが、２００ｍｍ以上あるので、自己導尿の人は便鉢（11）の内部に直接排泄することができるものとなるため、排泄するための時間が従来と比べて短縮出来るものとなる。又、採尿する場合、座ったままの姿勢で行っても、便鉢（11）の内面に採尿コップが接触することがなくなり、零れることも殆どなくなり、且つ、衣服の汚れを心配する必要もなくなった。
【００２１】
一方、一般健常者が本発明品を使用する場合には、上記同様に便座を介して便器本体（１)の上に従来と同様位置に座り、従来通りの排便或いは排尿を行えば良い。この時、便器本体（１)の前側を基準にして、従来通りの位置に腰掛ければ、違和感なく座れるものとなり、健常者も普通に使用出来るのである。
【産業上の利用可能性】
【００２２】
本発明品は病院や施設用の便器として利用するのが好ましいが、駅舎や高速道路のサービスエリアの便器として、或いはオフィスや家庭の便器として使用しても良い。
【符号の説明】
【００２３】
１  便器本体
11  便鉢
12  排出口
Ｈ  深さ
Ｌ  便鉢の前後長さ
【図１】
2014139368.tif 000003
【図２】
2014139368.tif 000004
【図３】
2014139368.tif 000005
【図４】
2014139368.tif 000006